(57)【要約】【課題】液体詰め替え時に、詰め替え液体用容器本体を逆さにする前に液出口部がポンプ付き容器の容器本体の液出口部に接続することができて、詰め替え液体用容器本体を逆さにして放置しても、詰め替え液体が外部にこぼれることがなく詰め替えを行なえる詰め替え液体用容器本体を提供すること。【解決手段】詰め替え液体用容器本体１０の液出口部１１は、ポンプ付き液体容器の容器本体３０の液出口部３１の開口に挿入可能な大きさに形成された小径円筒部１４と、小径円筒部１４の外面下部より延在する環状の連結部１５と、連結部１５の上面外周部より所要のギャップを有して小径円筒部１４の周囲を囲むように上方に延在され、液出口部３１との接続時に外側に被さる大径円筒部１６と、を備え、大径円筒部１６は、液出口部３１の外面に設けられた雄ねじ部３５と螺合可能な雌ねじ部１７を内面に有する構成としている。【選択図】図１
2018065608.tif 000002
【特許請求の範囲】
【請求項１】
上部に液出口部を有する有底形状にブロー成形されてなる詰め替え液体用容器本体であって、
前記液出口部は、
ポンプ付き液体容器の容器本体の液出口部の開口に挿入可能な大きさに形成されている小径円筒部と、
前記小径円筒部の外面下部より延在する環状の連結部と、
前記連結部の上面外周部より所要のギャップを有して前記小径円筒部の周囲を囲むように上方に延在され、前記ポンプ付き液体容器の容器本体の液出口部の外側に被さる大径円筒部と、
前記大径円筒部の内面に設けられ、前記ポンプ付き液体容器の容器本体の液出口部の外面に設けられた雄ねじ部と螺合可能な雌ねじ部と、
前記連結部の上面より前記小径円筒部の周囲を囲むように突出し、前記ポンプ付き液体容器の容器本体の液出口部の端面全周に密着可能な突条部と、を備えていることを特徴とする詰め替え液体用容器本体。
【請求項２】
請求項１に記載の詰め替え液体用容器本体と、
前記詰め替え液体用容器本体の液出口部を閉塞可能な蓋体と、を備え、
前記蓋体は、
下端が開口され、かつ前記開口を介して前記小径円筒部に被さる形状であり、
前記大径円筒部の前記雌ねじ部に螺合可能な雄ねじ部を外面に有し、
前記突条部の端面、前記小径円筒部の外面または前記大径円筒部の内面に対して密着可能なシール部を有することを特徴とする詰め替え液体用容器。
【発明の詳細な説明】
【技術分野】
【０００１】
本発明は、詰め替え液体用容器本体および詰め替え液体用容器に関する。
【背景技術】
【０００２】
従来、ボディソープ、シャンプー、洗濯用洗剤、柔軟剤、食器洗い洗剤等の液体がポンプ付き液体容器に充填された商品がある。また、ボディソープ、シャンプー、洗濯用洗剤、柔軟剤、食器洗い洗剤等の詰め替え液体がスタンディングパウチで包装された商品がある（例えば、特許文献１参照）。
【０００３】
ポンプ付き液体容器内が空になったときには、スタンディングパウチ内の詰め替え液体を充填している。
【先行技術文献】
【特許文献】
【０００４】
【特許文献１】特開２０１５−２０９２１２号公報
【発明の概要】
【発明が解決しようとする課題】
【０００５】
しかしながら、特許文献１のスタンディングパウチは、フィルムからなるので、液体が流出していくと共に、扁平になり腰折れするので、液体の詰め替え作業に当たっては、スタンディングパウチの上端に設けられて液注出部の先を切除してから、該液注出部をポンプ付き液体容器の容器本体の液出口部に挿し込み、全量の詰め替えが終わるまでスタンディングパウチを逆さに保持する必要があり、その間は、液体の詰め替えを行うものが他の作業のために離れるということはできないという問題があった。
【０００６】
特に、スタンディングパウチは、内部の液体が少なくなると、パウチを構成している前面部と裏面部との間のギャップが小さくなり、粘性を有する液体が流下しにくくなるので、前面部と裏面部との間のギャップがなくなるように扱いて強制的に絞り出す必要があり、この際にスタンディングパウチの液注出部がポンプ付き液体容器の容器本体の液出口部から外れてしまうことがあり、詰め替え液体が外部にこぼれてしまいむだになるという問題があった。
【０００７】
本発明は、上述した問題に鑑みてなされたもので、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができる詰め替え液体用容器本体および詰め替え液体用容器を提供することを目的としている。
【課題を解決するための手段】
【０００８】
本発明に係る詰め替え液体用容器本体は、上記課題を解決するため、上部に液出口部を有する有底形状にブロー成形されてなる詰め替え液体用容器本体であって、前記液出口部は、ポンプ付き液体容器の容器本体の液出口部の開口に挿入可能な大きさに形成されている小径円筒部と、前記小径円筒部の外面下部より延在する環状の連結部と、前記連結部の上面外周部より所要のギャップを有して前記小径円筒部の周囲を囲むように上方に延在され、前記ポンプ付き液体容器の容器本体の液出口部の外側に被さる大径円筒部と、前記大径円筒部の内面に設けられ、前記ポンプ付き液体容器の容器本体の液出口部の外面に設けられた雄ねじ部と螺合可能な雌ねじ部と、前記連結部の上面より前記小径円筒部の周囲を囲むように突出し、前記ポンプ付き液体容器の容器本体の液出口部の端面全周に密着可能な突条部と、を備えている構成である。
【０００９】
本発明に係る詰め替え液体用容器は、上記課題を解決するため、上述した詰め替え液体用容器本体と、前記詰め替え液体用容器本体の液出口部を閉塞可能な蓋体と、を備え、前記蓋体は、下端が開口され、かつ前記開口を介して前記小径円筒部に被さる形状であり、前記大径円筒部の前記雌ねじ部に螺合可能な雄ねじ部を外面に有し、前記突条部の端面、前記小径円筒部の外面または前記大径円筒部の内面に対して密着可能なシール部を有する構成とする。
【００１０】
これらの構成によれば、本発明に係る詰め替え液体用容器本体および詰め替え液体用容器は、ポンプ付き液体容器内の液体が少なくなったときに、内部に充填されている詰め替え液体がポンプ付き液体容器内に補充されるために供される。液体の詰め替え作業は、詰め替え液体用容器本体内の詰め替え液体が液出口部から流出しない限度に該詰め替え液体用容器本体を傾けるとともに、傾斜した詰め替え液体用容器本体の液出口部の中心線上にポンプ付き液体容器の液出口部の中心線が来るようにポンプ付き液体容器の容器本体を逆さにして、小径円筒部をポンプ付き液体容器の容器本体の液出口部の開口に挿入するとともに、大径円筒部の雌ねじ部をポンプ付き液体容器の容器本体の液出口部の外面の雄ねじ部に螺合させることにより、詰め替え液体用容器本体の液出口部がポンプ付き容器の容器本体の液出口部に確実に接続される。次いで、ポンプ付き容器の容器本体と詰め替え液体用容器本体の上下関係を逆転すると、詰め替え液体用容器本体内の詰め替え液体がポンプ付き容器の容器本体内に充填される。
【００１１】
以上のように、ポンプ付き液体容器の容器本体に詰め替え液体を詰め替える際に、詰め替え液体用容器本体を逆さにする前に、小径円筒部をポンプ付き液体容器の容器本体の液出口部の開口に挿入するとともに、大径円筒部の雌ねじ部をポンプ付き液体容器の容器本体の液出口部の外面の雄ねじ部に螺合させる構成であるので、詰め替え液体が外部にこぼれることがないように詰め替えを行うことができ、容器本体の内面に液体が付着している状態が無くなるまで逆さ状態に放置することができる。
【００１２】
また、本発明に係る詰め替え液体用容器は、蓋体を詰め替え液体用容器本体の小径円筒部に被せるとともに、蓋体の雄ねじ部を詰め替え液体用容器本体の大径円筒部の雌ねじ部に螺合させると、蓋体が詰め替え液体用容器本体の液出口部に確実に接続されるとともに、シール部が突条部の端面、小径円筒部の外面または大径円筒部の内面に対して密着して液密性が保持される。
【００１３】
よって、本発明に係る詰め替え液体用容器は、該詰め替え液体用容器が転倒しても、詰め替え液体用容器本体に充填された液体が外部に流れ出ることがない。
【発明の効果】
【００１４】
本発明によれば、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができる詰め替え液体用容器本体および詰め替え液体用容器を提供することができる。
【図面の簡単な説明】
【００１５】
【図１】本発明の実施の形態に係る詰め替え液体用容器本体の液出口部にポンプ付き液体容器の容器本体の液出口部が接続され、液体がポンプ付き液体容器の容器本体に詰め替えられた後の状態を示す縦断面図である。
【図２】本発明の実施の形態に係る詰め替え液体用容器の縦断面図であり、（ａ）は全体図、（ｂ）は部分拡大図を示す。
【図３】本発明の実施の形態に係る詰め替え液体用容器本体の液出口部にポンプ付き液体容器の容器本体の液出口部が接続され、液体がポンプ付き液体容器の容器本体に詰め替えられる前の状態を示す縦断面図である。
【発明を実施するための形態】
【００１６】
以下、本発明の実施の形態に係る詰め替え液体用容器および詰め替え液体用容器本体について図面を参照しつつ説明する。
【００１７】
図１は本発明の実施の形態に係る詰め替え液体用容器本体からポンプ付き液体容器の容器本体に液体の詰め替えが完了した状態を示す。また、図２は本発明の実施の形態に係る詰め替え液体用容器を示す。
【００１８】
図２に示すように、本実施の形態に係る詰め替え液体用容器１は、詰め替え液体用容器本体１０と、蓋体２０とを備え、内部に詰め替え液体Ｌが充填されており、ポンプ付き液体容器内の液が無くなったときに、図３、図１に示すように、詰め替え液体Ｌの詰め替えが行われる。
【００１９】
詰め替え液体用容器本体１０は、ポリエチレンテレフタレート（ＰＥＴ）、ポリプロピレン（ＰＰ）などの樹脂をブロー成形されてなる。蓋体２０は、ポリプロピレン（ＰＰ）、ポリエチレン（ＰＥ）などの樹脂を射出成形されてなる。
【００２０】
詰め替え液体用容器本体１０は、上部に液出口部１１と、液出口部１１に連接する下方に向けて拡径する拡径部１２と、拡径部１２に連接する円筒状の胴部１３と、胴部１３に連接する底面部１８と、を有する有底容器である。底面中央部１８ａは容器内側に向けて窪んでおり、底面周辺部１８ｂは一平面状に形成され、もって、安定した着座性を有する。
【００２１】
液出口部１１は、ポンプ付き液体容器の容器本体３０の液出口部３１の開口に挿入可能な大きさに形成されている小径円筒部１４と、小径円筒部１４の外面下部より延在する環状の連結部１５と、連結部１５の上面外周部より所要のギャップを有して小径円筒部１４の周囲を囲むように上方に延在され、ポンプ付き液体容器の容器本体３０の液出口部３１との接続時に外側に被さる大径円筒部１６と、連結部１５の上面より小径円筒部１４の周囲を囲むように突出し、ポンプ付き液体容器の容器本体３０の液出口部３１の端面全周に密着可能な突条部１９と、を備えている。
【００２２】
小径円筒部１４は、上部の外面が上方に先細りとなるテーパー形状を有しており、液出口部３１の開口に挿入されたときに外面が液出口部３１の内面に密着するように、テーパー部よりも連結部１５側の外径が液出口部３１の開口の内径と等しく形成されている。
【００２３】
大径円筒部１６は、ポンプ付き液体容器の容器本体３０の液出口部３１の外面に設けられた雄ねじ部３５に螺合可能な雌ねじ部１７を内面に有しており、小径円筒部１４よりも上面が上方に位置している。
【００２４】
また、液出口部１１は、大径円筒部１６の雌ねじ部１７にポンプ付き液体容器の容器本体３０の液出口部３１の雄ねじ部３５を奥深くまで螺合させると、突条部１９が液出口部３１の端面に当接するようになっている。
【００２５】
詰め替え液体用容器本体１０は、液出口部１１が蓋体２０により閉塞されるようになっている。蓋体２０は、下端が開口され、かつ開口を介して液出口部１１の小径円筒部１４に被さり、大径円筒部１６の内側に嵌る形状であり、大径円筒部１６の雌ねじ部１７に螺合可能な雄ねじ部２１を下部外面に有する。蓋体２０の上部外周部は、雄ねじ部２１よりも大径に形成されており、開封時につまみとなる。
【００２６】
蓋体２０は、下端の開口を介して液出口部１１の小径円筒部１４に被せられ、雄ねじ部２１が大径円筒部１６の雌ねじ部１７に最後まで螺合されたときに、突条部１９の端面、小径円筒部１４の外面、大径円筒部１６の内面に対して密着可能なシール部２２，２３，２４を有している。シール部２２は、突条部１９の端面全周に密着されて小径円筒部１４をシールし、シール部２３は、小径円筒部１４の外面に密着されて小径円筒部１４をシールし、シール部２４は、大径円筒部１６の内面に密着されて小径円筒部１４をシールする。
【００２７】
シール部２２は、蓋体２０の下端面そのものであり、突条部１９の端面全周に密着されて小径円筒部１４をシールするようになっている。シール部２３は、蓋体２０の下部内周部分そのものであり、小径円筒部１４の外面に密着されて小径円筒部１４をシールするようになっている。シール部２４は、蓋体２０の下部外周部分そのものであり、大径円筒部１６の内面に密着されて小径円筒部１４をシールするようになっている。
【００２８】
ポンプ付き液体容器は、図１に示す容器本体３０と、図示しないポンプ本体とを有する。ポンプ付き液体容器の容器本体３０は、ポリエチレンテレフタレート（ＰＥＴ）、ポリプロピレン（ＰＰ）などの樹脂をブロー成形されてなる。
【００２９】
ポンプ付き液体容器の容器本体３０は、上部に設けられた円筒状の液出口部３１と、液出口部３１に連接され下方に向けて拡径された拡径部３２と、拡径部３２に連接された円筒状の胴部３３と、胴部３３に連接され胴部３３の下端を閉じている底面部３４と、を有する有底容器である。底面中央部３４ａは容器内側に向けて窪んでおり、底面周辺部３４ｂは一平面状に形成され、もって、安定した着座性を有する。
【００３０】
胴部３３は、液出口部３１に関し、右側壁３３ｂが左側壁３３ａよりも大きく離れている。拡径部３２は、左右非対称のラッパ形状部であり、漸次拡径して胴部３３の左側壁３３ａに滑らかに連接する形状である左側壁３２ａと、断面形状が液出口部３１より急拡大してから半円状に突出した後、絞られてから再び拡径して胴部３３の右側壁３３ｂに滑らかに連接する形状である右側壁３２ｂとを有する。
【００３１】
ポンプ付き液体容器の容器本体３０は、詰め替え液体の詰め替えに際して、逆さ斜めの姿勢とされて詰め替え液体用容器本体１０と接続されるときに、右側壁３３ｂの内面部分が残っている液体の第１の溜まり部となり、また右側壁３２ｂの半円状に突出した部分の内側付近が残っている液体の第２の溜まり部となる。したがって、詰め替え液体の詰め替えに際して、内部に少量の液体が残っている容器本体３０が逆さ斜めの姿勢とされても、内部に残っている液体が容器本体３０の液出口部３１から流出しないようになっている。
【００３２】
液出口部３１の外面には雄ねじ部３５が設けられている。雄ねじ部３５は、後述するポンプ本体のキャップ状の取付部の内面に設けられた雌ねじ部に螺合可能である。
【００３３】
図示しないポンプ本体は、人力の作動部がプッシュ式構造のもの、またはトリガーを引く構造のものなどいずれであってもよい。ポンプ本体は、例えばシリンダを有し、該シリンダを詰め替え液体用容器本体１０の液出口部１１内に垂下し、該シリンダの上部に備えられるキャップ状の取付部を液出口部１１に被せて螺合して固定されるようになっている。ポンプ本体は、人力の作動部の押し込みにより下動しばねの蓄勢復帰力により上動復帰するピストンがシリンダ内に収容され、シリンダの下部に逆止弁を備え、シリンダより下方に吸い上げパイプが垂下している。シリンダの上端部には横方向に吐出する吐液部を有する。
【００３４】
以下、本実施の形態に係る詰め替え液体用容器１および詰め替え液体用容器本体１０の作用について説明する。
【００３５】
詰め替え液体用容器１は、詰め替え液体用容器本体１０に詰め替え液体Ｌが充填され、液出口部１１が蓋体２０により閉塞された形態で販売され、詰め替え液体Ｌが、ポンプ付き液体容器の容器本体３０内の液体が少なくなったときに、ポンプ付き液体容器内に補充されるために供される。
【００３６】
本実施の形態に係る詰め替え液体用容器１は、蓋体２０を詰め替え液体用容器本体１０の小径円筒部１４に被せ、蓋体２０の雄ねじ部２１を詰め替え液体用容器本体１０の大径円筒部１６の雌ねじ部１７に螺合させると、蓋体２０が詰め替え液体用容器本体１０の液出口部１１に確実に接続されるとともに、シール部２２，２３，２４が突条部１９の端面、小径円筒部１４の外面、大径円筒部１６の内面に対して密着して液密性が保持される。
【００３７】
詰め替え液体Ｌを詰め替えるには、詰め替え液体用容器１の蓋体２０を取り外すとともに、ポンプ付き液体容器の容器本体３０から図示しないポンプ本体を取り外す。
【００３８】
次に、図３に示すように、液体の詰め替え作業は、詰め替え液体用容器本体１０内の詰め替え液体Ｌが液出口部１１から流出しない限度に該詰め替え液体用容器本体１０を傾けるとともに、傾斜した詰め替え液体用容器本体１０の液出口部１１中心線上にポンプ付き液体容器の容器本体３０の液出口部３１中心線が来るようにポンプ付き液体容器の容器本体３０を逆さにして、小径円筒部１４をポンプ付き液体容器の容器本体３０の液出口部３１の開口に挿入する。そして、大径円筒部１６の雌ねじ部１７をポンプ付き液体容器の容器本体３０の液出口部３１の雄ねじ部３５に螺合させることにより、詰め替え液体用容器本体１０の液出口部１１がポンプ付き液体容器の容器本体３０の液出口部３１に確実に液漏れがないように接続される。ポンプ付き液体容器の容器本体３０を逆さにすると、該ポンプ付き液体容器の容器本体３０に残っている液体が、右側壁３３ｂの第１の液溜まりや右側壁３３ｂの第２の液溜まりに溜まる。このため、詰め替え液体用容器本体１０の液出口部１１とポンプ付き液体容器の容器本体３０の液出口部３１との接続が完了する前に、ポンプ付き液体容器の容器本体３０に残っている液体が液出口部３１から外部に流れ出すことがない。次いで、ポンプ付き液体容器の容器本体３０と詰め替え液体用容器本体１０の上下関係を逆転すると、詰め替え液体用容器本体１０内の詰め替え液体Ｌがポンプ付き液体容器の容器本体３０内に充填される。
【００３９】
以上のように、ポンプ付き液体容器の容器本体３０に詰め替え液体Ｌを詰め替える際に、詰め替え液体用容器本体１０を逆さにする前に、小径円筒部１４をポンプ付き液体容器の容器本体３０の液出口部３１の開口に挿入するとともに、大径円筒部１６の雌ねじ部１７をポンプ付き液体容器の容器本体３０の液出口部３１の外面の雄ねじ部３５に螺合させる構成であるので、詰め替え液体Ｌが外部にこぼれることがないように詰め替えを行うことができ、詰め替え液体用容器本体１０の内面に粘性を有する詰め替え液体Ｌが付着している状態が無くなるまで逆さ状態に放置することができる。
【００４０】
詰め替え液体用容器本体１０に充填されていた詰め替え液体Ｌの全量がポンプ付き液体容器の容器本体３０に詰め替えられたならば、詰め替え液体用容器本体１０を取り外し、ポンプ本体を取り付ける。
【００４１】
以上説明したように、本発明によれば、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができるという効果を有し、詰め替え液体用容器本体および詰め替え液体用容器の全般に有用である。
【符号の説明】
【００４２】
１  詰め替え液体用容器
１０  詰め替え液体用容器本体
１１，３１  液出口部
１４  小径円筒部
１５  連結部
１６  大径円筒部
１７  雌ねじ部
１９  突条部
２０  蓋体
２１,３５  雄ねじ部
２２，２３，２４  シール部
３０  ポンプ付き液体容器の容器本体
【図１】
2018065608.tif 000003
【図２】
2018065608.tif 000004
【図３】
2018065608.tif 000005
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
着座面を有するワンピースのブロー成形品である詰替え用容器の上端側に、被詰め替え容器の上端側の液出口部に挿入可能な短小径円筒部を一体に設ける一方、前記短小径円筒部より上方に延びるとともに前記短小径円筒部を外方から取り囲む雌ねじ付きの大径円筒部を一体に設けて、該大径円筒部に雄ねじ付きの蓋体または前記被詰め替え容器の液出口部を螺合させるようにした詰め替え液体用容器連結構造。
【請求項２】
前記大径円筒部に前記蓋体または前記被詰め替え容器の液出口部が螺合するとき、前記短小径円筒部が前記蓋体または前記液出口部に密着状態に係合するとともに、前記短小径円筒部と前記大径円筒部の基端側の間に設けられた環状の突条部形状をなす突当てシール部が、前記蓋体または前記液出口部の開口内周面に密着することを特徴とする請求項１に記載の詰め替え液体用容器連結構造。
【請求項３】
着座面を有するワンピースのブロー成形品である詰め替え液体用容器本体と、
該詰替え用容器本体の上端側に、被詰め替え容器の上端側の液出口部に挿入可能に一体に設けられた短小径円筒部と、
前記詰替え用容器本体の上端側に一体に設けられとともに、前記被詰め替え容器の前記液出口部を螺合させことができるよう雌ねじが形成され、前記短小径円筒部より上方に延びるとともに前記短小径円筒部を外方から取り囲む大径円筒部と、
前記大径円筒部に内方に挿入されるとともに前記雌ねじ部に螺合し、前記短小径円筒部からの液体の出口を閉塞する雄ねじ付きの蓋体と、を備えた詰め替え液体用容器。
【手続補正３】
【補正対象書類名】明細書
【補正対象項目名】００２０
【補正方法】変更
【補正の内容】
【００２０】
詰め替え液体用容器本体１０は、上部に液出口部１１と、液出口部１１に連接する下方に向けて拡径する拡径部１２と、拡径部１２に連接する円筒状の胴部１３と、胴部１３に連接する底面部１８（着座面部）と、を有する有底容器である。底面部１８の底面中央部１８ａは容器内側に向けて窪んでおり、底面周辺部１８ｂは一平面状に形成され、もって、安定した着座性を有する。
【手続補正４】
【補正対象書類名】明細書
【補正対象項目名】００２１
【補正方法】変更
【補正の内容】
【００２１】
液出口部１１は、ポンプ付き液体容器の容器本体３０（被詰め替え容器）の液出口部３１の開口に挿入可能な大きさに形成されている小径円筒部１４と、小径円筒部１４の外面下部より延在する環状の連結部１５と、連結部１５の上面外周部より所要のギャップを有して小径円筒部１４の周囲を囲むように上方に延在され、ポンプ付き液体容器の容器本体３０の液出口部３１との接続時に外側に被さる大径円筒部１６と、連結部１５の上面より小径円筒部１４の周囲を囲むように突出し、ポンプ付き液体容器の容器本体３０の液出口部３１の端面全周に密着可能な突条部１９（突当てシール部）と、を備えている。